(57)【要約】【課題】質量の大きい大型の薄型テレビを壁掛けすることにともなって床に沈みこみが生じても、枠体の天板が天井から離れたり、天板を固定する固着具が緩んでがたついたりすることなく、安定した設置状態を保つことのできるテレビ固定用補助壁体を提供すること。【解決手段】縦桟８は床Ｆにともなわれて下方に移動可能であり、縦桟の上端部に弾性体２１が配設され、弾性体は天板６の下面に圧接し、縦桟の下方移動範囲内で常に天板方向に突っ張るように弾性力が作用する。【選択図】図１
2008019702.tif 000002
【特許請求の範囲】
【請求項１】
天井に固定される天板と、天板の左右両端部に上端部が対向配置され、垂下して床に載置される縦桟と、床に載置固定される地板とから枠組みされて形成される枠体の前面に前板が取り付けられ、前板の一部に対向して薄型テレビが取り付けられるテレビ固定用補助壁体であって、縦桟は床にともなわれて下方に移動可能であり、縦桟の上端部に弾性体が配設され、弾性体は天板下面に圧接し、縦桟の下方移動範囲内で常に天板方向に突っ張るように弾性力が作用することを特徴とするテレビ固定用補助壁体。
【請求項２】
Ｌアングルの水平片が天板下面に固定され、垂下片が、縦桟の内面側に形成され、上下方向にのびる溝部の内部にスライド自在に挿入されていることを特徴とする請求項１に記載のテレビ固定用補助壁体。
【請求項３】
縦桟上端部の内面に蓋材が被着され、蓋材に弾性体が配設されていることを特徴とする請求項２に記載のテレビ固定用補助壁体。
【請求項４】
請求項１ないし３いずれか一項に記載のテレビ固定用補助壁体の施工方法であって、枠体を建物の床から天井にわたるように床に立設し、縦桟の下方移動範囲内で弾性力が発生するように弾性体を仮圧縮して天板方向に突っ張り、次いで上端部を除いて前板を枠体の前面に取り付けた後、補助脚を前板から床にかけて斜め下方に前側に張り出すように配設し、補助脚によりテレビ固定用補助壁体が前倒れしないように支持し、次いで前板の一部に対向して薄型テレビを取り付けた後、弾性体を本圧縮して天板方向に突っ張り直し、その後、補助脚を撤去して枠体の上端部の前面に前板を取り付けることを特徴とするテレビ固定用補助壁体の施工方法。
【請求項５】
弾性体を本圧縮した後、床から天井に至る長さの化粧側板を縦桟の外側面に固定することを特徴とする請求項４に記載のテレビ固定用補助壁体の施工方法。
【発明の詳細な説明】
【技術分野】
【０００１】
本発明は、薄型テレビの壁掛けを容易に実現するテレビ固定用補助壁体とその施工方法に関する。
【背景技術】
【０００２】
液晶テレビやプラズマテレビなどの薄型テレビが広く普及している。薄型であることの特長を生かして室内を広く使うことができるように、薄型テレビを壁に掛けて視聴したいという要望が高まりつつある。
【０００３】
だが、質量の大きい大画面の薄型テレビを壁掛けするためには、建物の壁が薄型テレビの取り付けに十分耐えられるように下地を補強する必要があり、たとえば特許文献１には、建物の壁自体が大型の薄型テレビを固定支持することができるような特別な構造が開示されている。しかしながら、一般に、壁の補強工事は大掛かりなものであり、多額の費用がかかり、施工時間が長いなどの問題があった。
【０００４】
そこで、本出願人は、建物の壁に補強を加えるのではなく、壁とは別に大型の薄型テレビの取り付け専用の補助壁体を床から天井にわたるように設置し、この補助壁体に対して薄型テレビを固定することを提案している（特願２００６−０４７４０７（未公開））。
【０００５】
図９および図１０に示したように、テレビ固定用補助壁体１は、床Ｆから天井Ｃまでの高さを有する矩形の枠体２を備え、枠体２の前面に、表面に化粧が施された前板３が取り付けられて形成されるものである。薄型テレビ４は、前板３の一部に対向して壁掛け金具５によって取り付けられる。テレビ固定用補助壁体１は、建物の壁Ｗに枠体２の背面を当接させ、または当接させずに床Ｆから天井Ｃにわたるように設置される。枠体２の上端に位置する天板６が天井Ｃに接着剤または木ねじなどの固着具を用いて当接固定され、枠体２の下端に位置する地板７が木ねじなどの固着具５１を用いて床Ｆに載置固定される。
【０００６】
テレビ固定用補助壁体１を床Ｆから天井Ｃにわたって建て込み、テレビ固定用補助壁体１に対して薄型テレビ４を取り付けることができるので、質量の大きい大画面の薄型テレビ４を建物の壁Ｗに補強を加えずに容易に壁掛けすることができる。
【特許文献１】特開２００５−１５０８７２号公報
【発明の開示】
【発明が解決しようとする課題】
【０００７】
このように大型の薄型テレビ４の壁掛けを容易に実現する優れたテレビ固定用補助壁体１ではあるが、その後の検討により改善すべき点が見出された。
【０００８】
テレビ固定用補助壁体１が備える枠体２は、図１１に示したように、天井Ｃに固定される天板６と、天板６の左右両端部に上端部が対向配置され、垂下して床Ｆに載置される縦桟８と、床Ｆに載置固定される地板７とから枠組みされて形成されている。枠体２には、内側に、補強および図９および図１０に示した前板３の取り付けのために横桟９が、左右の縦桟８間に数本平行に架設される。天板６と縦桟８とはＬアングル１０によって互いに接合されている。すなわち、図１２に示したように、天板６の端部下面にＬアングル１０の水平片１１を木ねじなどの固着具５１により当接固定し、天板６の端縁部下面に縦桟８の上端面を当接させ、Ｌアングル１０の垂下片１２を縦桟８の上端部内面に木ねじなどの固着具５１により当接固定している。
【０００９】
大型の薄型テレビ４は質量が大きいため、テレビ固定用補助壁体１に取り付けると、床Ｆが防音床の場合にはクッション層が圧縮され、また、床Ｆが二重床の場合には支持脚に設けたゴムが圧縮され、図１１に示したように、床Ｆに沈み込みが発生する。床Ｆの沈み込みにともなって床Ｆに載置される縦桟８は下方に移動する。天板６は縦桟８と上記の通りリジッドに接合されているため、縦桟８の下方移動により天板６と天井Ｃとの間に引張力が発生する。その結果、接着層が破壊されて天板６が天井Ｃから離れたり、天板６を固定する固着具が緩み、テレビ固定用補助壁体１にガタツキが生じたりしてテレビ固定用補助壁体１の設置状態が不安定となる。
【００１０】
本発明は、以上の通りの事情に鑑みてなされたものであり、質量の大きい大型の薄型テレビを壁掛けすることにともなって床に沈みこみが生じても、枠体の天板が天井から離れたり、天板を固定する固着具が緩んでがたついたりすることなく、安定した設置状態を保つことのできるテレビ固定用補助壁体とその施工方法を提供することを課題としている。
【課題を解決するための手段】
【００１１】
本発明のテレビ固定用補助壁体は、上記の課題を解決するために、以下のことを特徴としている。
【００１２】
第１に、天井に固定される天板と、天板の左右両端部に上端部が対向配置され、垂下して床に載置される縦桟と、床に載置固定される地板とから枠組みされて形成される枠体の前面に前板が取り付けられ、前板の一部に対向して薄型テレビが取り付けられるテレビ固定用補助壁体であって、縦桟は床にともなわれて下方に移動可能であり、縦桟の上端部に弾性体が配設され、弾性体は天板下面に圧接し、縦桟の下方移動範囲内で常に天板方向に突っ張るように弾性力が作用する。
【００１３】
第２に、上記第１の特徴において、Ｌアングルの水平片が天板下面に固定され、垂下片が、縦桟の内面側に形成され、上下方向にのびる溝部の内部にスライド自在に挿入されている。
【００１４】
第３に、上記第１の特徴において、縦桟上端部の内面に蓋材が被着され、蓋材に弾性体が配設されている。
【００１５】
本発明のテレビ固定用補助壁体の施工方法は、上記の課題を解決するために、以下のことを特徴としている。
【００１６】
第４として、上記第１ないし第３のいずれか一つの特徴を有するテレビ固定用補助壁体の施工方法であって、枠体を建物の床から天井にわたるように床に立設し、縦桟の下方移動範囲内で弾性力が発生するように弾性体を仮圧縮して天板方向に突っ張り、次いで上端部を除いて前板を枠体の前面に取り付けた後、補助脚を前板から床にかけて斜め下方に前側に張り出すように配設し、補助脚によりテレビ固定用補助壁体が前倒れしないように支持し、次いで前板の一部に対向して薄型テレビを取り付けた後、弾性体を本圧縮して天板方向に突っ張り直し、その後、補助脚を撤去して枠体の上端部の前面に前板を取り付ける。
【００１７】
第５として、上記第４の特徴において、弾性体を本圧縮した後、床から天井に至る長さの化粧側板を縦桟の外側面に固定する。
【発明の効果】
【００１８】
上記第１の発明によれば、縦桟は床にともなわれて下方に移動可能である一方で、縦桟の上端部に配設された弾性体は天板下面に圧接し、縦桟の下方移動範囲内で常に天板方向に突っ張るように弾性力が作用するため、質量の大きい大型の薄型テレビの壁掛けによって床に沈み込みが生じ、縦桟が下方に移動しても、弾性体が天板を押し上げ続けるので、天板と天井との間に負荷がかからず、天板は固定状態を保つことができる。テレビ固定用補助壁体の設置状態が安定したものとなる。
【００１９】
上記第２の発明によれば、上記の第１の発明の効果に加え、水平片が天板下面に固定されたＬアングルの垂下片が、縦桟の内面側に形成され、上下方向にのびる溝部の内部にスライド自在に挿入されているので、天板の固定状態に影響を及ぼすことなく、床の沈み込みにともなって縦桟は下方に移動し、しかも縦桟の下方移動が垂下片および溝部にガイドされ、スムーズに行われる。このとき、天板と縦桟との前後関係は変位しない。しかも、Ｌアングルの垂下片が縦桟の溝部の内部に挿入されているため、薄型テレビの取り付けにともなって枠体に前面側に倒れ込むような力が作用しても、垂下片が溝部の内側壁に支えられるので、テレビ固定用補助壁体全体の前倒れが防止される。
【００２０】
上記第３の発明によれば、上記第２の発明の効果に加え、縦桟上端部の内面に蓋材が被着されるので、Ｌアングルの垂下片が縦桟の溝部から抜け外れるのが防止され、また、縦桟の下方移動ががたつかずよりスムーズになる。さらに、蓋材に弾性体が配設されるので、縦桟への弾性体の配設が容易となる。
【００２１】
上記第４の発明によれば、大型の薄型テレビの取り付けにともないその大きな質量により床に沈み込みが発生し、万一弾性体が伸びきってしまっても、補助脚によりテレビ固定用補助壁体の前倒れを抑えることができ、テレビ固定用補助壁体の建て込みを安全に行うことができる。そして、弾性体の本圧縮によって弾性体に十分大きな弾性力が発生し、天板方向に十分に突っ張ることができ、テレビ固定用補助壁体は、大型の薄型テレビを取り付けた状態において安定に自立して設置される。地震などによってテレビ固定用補助壁体が転倒するおそれはない。
【００２２】
上記第５の発明によれば、上記第４の発明の効果に加え、床に沈み込みが発生し、天板と縦桟との間に隙間が形成されても、化粧側板によってその隙間を覆い隠すことができ、テレビ固定用補助壁体の外観が良好となる。
【発明を実施するための最良の形態】
【００２３】
図１、図２は、それぞれ、本発明のテレビ固定用補助壁体における天板と縦桟との連結部の一実施形態を示した要部分解斜視図、要部正面図である。図３は、図１および図２に示した実施形態に基づくテレビ固定用補助壁体の設置状態を主に枠体について示した正面図である。
【００２４】
図１〜図３において図９〜図１２に示した部分と同一の部分には同じ符号を付している。
【００２５】
天井Ｃに固定される天板６と、天板６の左右両端部に上端部が対向配置され、床Ｆに向かって垂下する縦桟８とは、図１２に示したＬアングル１０によるリジッドな接合と異なり、一定の自由度を持って連結している。
【００２６】
天板６の下面にはＬアングル１０の水平片１１が木ねじなどの固着具５１により当接固定されている。一方、Ｌアングル１０の垂下片１２は、縦桟８の内面に固定されていない。縦桟８の内面側には上下方向にのびる溝部１３が形成され、溝部１３の内部にＬアングル１０の垂下片１２が挿入され、垂下片１２は溝部１３内をスライド自在とされている。したがって、縦桟８は、床Ｆにともなわれて下方に移動可能となっている。
【００２７】
縦桟８の上端部内面には縦桟８の内面形状に一致する断面略波型形状を有する蓋材１４が被着されている。蓋材１４は、縦桟８の溝部１３以外の内面に当接する短冊状の当接片１５と、溝部１３に嵌着する断面略コ字型形状を有する嵌着部１６とを備え、当接片１５と嵌着部１６とが蓋材１４の横幅方向に交互に並列して一体化されている。嵌着部１６は蓋材１４において背側に突出している。蓋材１４は、嵌着部１６を溝部１３に嵌着させ、当接片１５を溝部１３以外の縦桟８の内面に当接させて、当接片１５において木ねじなどの固着具５１により縦桟８の上端部に固定される。固着具５１は、すべての当接片１５に対して使用しても、蓋材１４の確実な固定が実現される程度において選択的に使用してもかまわない。また、蓋材１４は、縦桟８の溝部１３以外の内面に当接する平板状のものとすることもできる。
【００２８】
Ｌアングル１０は、図１に示した実施形態では２本使用しているが、本数は特に制限はなく、天板６および縦桟８の幅などに応じて適宜変更することができる。１本であっても３本以上であってもよい。縦桟８の内面側に形成する溝部１３は、使用するＬアングル１０の本数に応じて増減することができる。蓋材１４を断面略波型形状に成形する場合には、縦桟８の内面形状に一致させる。Ｌアングル１０および蓋材１４は金具とする他、硬質の樹脂などから形成することもできる。
【００２９】
また、蓋材１４には、当接片１５から縦桟８とは反対側に支持片１７が水平に延設されている。支持片１７には略中央にねじ孔１８が形成され、ねじ孔１８にボルト１９がねじ込まれている。ボルト１９は、回転にともなって上下方向に移動自在となっている。ボルト１９の先端には押圧片２０が配設され、押圧片２０に弾性体２１が配設され、弾性体２１は、上方に延び、天板６の下面に圧接している。ボルト１９を締め、押圧片２０を天板６に向けて押し上げ、弾性体２１の上端部を天板６の下面に接触させ、弾性体２１を天板６と押圧片２０との間に圧縮させている。したがって、弾性体２１に発生する弾性力は、常時天板６を下方より押し上げる方向に作用する。つまり、縦桟８の下方移動範囲内で常に天板６方向に突っ張るように弾性力が作用する。弾性体２１には、図１〜図３に示したようなコイルバネ２２をはじめ、板バネ、ゴムなどを採用することができる。
【００３０】
このような弾性体２１を介して天板６と縦桟８とが連結し、枠体２が枠組みされている。
【００３１】
なお、図１および図２に示した実施形態では、天板６の端部下面に縦桟８の上端面を対向させて連結しているが、本発明のテレビ固定用補助壁体は、そのような連結方式に限定されない。縦桟８の上端部内面に天板６の側端面を対向させて連結するようにしてもかまわない。この場合にも、Ｌアングル１０の配設、縦桟８の溝部１３へのＬアングル１０の垂下片１２の挿入、縦桟８の上端部内面への蓋材１４の被着および弾性体２１の配設は、図１および図２に示した実施形態と全く同様にして行うことができる。
【００３２】
図３に示したように、テレビ固定用補助壁体１に大型の薄型テレビ４を取り付けると、その大きな質量によって、前述した通り、床Ｆに沈み込みが発生することがある。沈み込みの程度は防音床、二重床でともにおよそ３ｍｍ程度である。この場合、下方に移動可能な縦桟８は床Ｆにともなわれて下方に移動するが、縦桟８の上端部には弾性体２１が配設され、弾性体２１は天板６の下面に圧接し、縦桟８の下方移動範囲内、すなわち、床Ｆが沈み込む範囲内で常に天板６方向に突っ張るように弾性力が作用するため、弾性体２１は、多少伸びても、依然天板６を上方に押し続ける。このため、天板６と縦桟８との連結は維持され、また、連結が維持されながらも、天板６と天井Ｃとの間に負荷がかからず、天板６は固定状態を保つことができる。天板６と天井Ｃとの間の接着層が破壊されたり、天板６を固定する固着具に緩みが生じてがたついたりすることはない。天板６と縦桟８との間に隙間２３が多少形成されるだけである。また、天板６と縦桟８との前後関係は変位しない。テレビ固定用補助壁体１の設置状態は安定する。このように、質量の大きい大型の薄型テレビ４を壁掛けすることにともなって床Ｆに沈みこみが生じても、枠体２の天板６が天井Ｃから離れたり、天板６を固定する固着具が緩んでがたついたりすることはなく、テレビ固定用補助壁体１は、安定した設置状態を保つことができる。
【００３３】
隙間２３は、枠体２の前面に幕板を、側面に化粧側板を取り付けることによって隠蔽することができ、外観不良は生じない。
【００３４】
また、天板６と縦桟８との連結部においては、水平片１１が天板６の下面に固定されたＬアングル１０の垂下片１２が、縦桟８の内面側に形成され、上下方向に延びる溝部１３の内部にスライド自在に挿入されているので、天板６の固定状態に影響を及ぼすことなく、床Ｆの沈み込みにともなって縦桟８は下方に移動することができる。しかも縦桟８の下方移動は、垂下片１２および溝部１３にガイドされるので、スムーズに行われる。
【００３５】
その上、Ｌアングル１０の垂下片１２が縦桟８の溝部１３の内部に挿入されているため、薄型テレビ４の取り付けにともなって枠体２に前面側に倒れ込むような力が作用しても、垂下片１２が溝部１３の内側壁に支えられるので、テレビ固定用補助壁体１全体の前倒れを防止することもできる。
【００３６】
さらに、縦桟８の上端部内面には蓋材１４が被着されるので、Ｌアングル１０の垂下片１２は、蓋材１４の嵌着部１６によって溝部１３から抜け外れるのが防止される。このため、縦桟８の下方移動はがたつかず、よりスムーズになる。蓋材１４の形状を縦桟８の内面形状に一致する断面略波型形状とすると、縦桟８の下方移動の際のがたつきがより効果的に抑えられ、縦桟８の下方移動が一層スムーズになる。その上、縦桟８の上端部に配設する弾性体２１を蓋材１４に配設することができるので、縦桟８への弾性体２１の配設が容易となる。
【００３７】
なお、天井Ｃについては、集合住宅などに見られるようなコンクリート直天井や天井板で形成されたものなどが例示される。天板６を固定することができる限り特に制限されない。
【００３８】
図４は、本発明のテレビ固定用補助壁体の一実施形態を示した断面図である。図５は、図４に示した実施形態の前板を除いた斜視図である。図６は、図４に示した実施形態の要部断面図である。
【００３９】
なお、図１〜図３および図９〜図１２に示した部分と同一の部分については同じ符号を付し、説明を省略する。
【００４０】
前板３は上下方向に複数に分割され、そのうちの一枚がテレビ取付部２４とされている。テレビ取付部２４においては、補強板２５を前板３の背面側に配置し、前板３に重合させている。テレビ取付部２４において前板３に対向させて取り付ける大型の薄型テレビ４の取付強度を補強板２５により高めている。補強板２５の外周端部は横桟９および縦桟８の内面の前端に固定している。具体的には、図６に示したように、補強板２５の外周端部には凸または凹状の嵌め込み部２６が設けられ、嵌め込み部２６を横桟９および縦桟８の内面に設けられた凹または凸状の被嵌め込み部２７に嵌合固定している。テレビ取付部２４となる前板３と補強板２５とには、図４および図５に示したように、コード挿通孔２８が形成されている。そして、テレビ取付部２４には、補強板２５の背後に周囲を横桟９および縦桟８により取り囲まれ、かつ背側に開口する凹部２９が形成されている。凹部２９によって、テレビ固定用補助壁体１を天井Ｃと床Ｆに固定した時に、建物の壁Ｗとの間に空間３０が形成され、テレビ固定用補助壁体１に取り付けた薄型テレビ４から発生する固体振動が壁Ｗに伝わるのを防止し、遮音性を確保している。
【００４１】
前板３の取り付けには任意の取付手段を採用することができる。たとえば、下端部に位置する前板３については、図７に示したように、係止部材３１および被係止部材３２を採用し、係止部材３１を前板３の背面に取り付けるとともに、被係止部材３２を枠体２の内面に取り付けて、枠体２に対して下端部の前板３を着脱自在に取り付けることができる。それ以外の前板３については、図６に示した取付具３３を採用することができる。取付具３３は、固定縦片３４の下部から前方に前突片３５が突設され、前突片３５の前端部から上下方向に上係合片３６および下係合片３７が突設されて形成されている。なお、枠体２の下端部に使用する取付具３３には下係合片３７が省略される。
【００４２】
取付具３３を用いて前板３を取り付ける際には、取付具３３の上係合片３６に下段の前板３の下端面に形成した係合溝３８を係合させ、下段の前板３を枠体２の前面に沿わせ、次いで上端面に形成した係合溝３８に上側に配設する別の取付具３３の下係合片３７を係合させ、この取付具３３を固定縦片３４において枠体２の前面に固定して下段の前板３を枠体２に取り付ける。このような取り付けを枠体２の下側から順次上側に向かって行う。
【００４３】
枠体２には、図４に示したように、テレビ取付部２４の下側に下補強板３９が取り付けられている。下補強板３９は枠体２の背面側に固定され、下補強板３９には、図５に示したように、コード通し孔４０が形成されている。また、枠体２の内部には、電源線用のコンセント、情報線などの接続機器などのコード接続器具４１が設けられている。コード接続器具４１が設けられた部分は、横桟９、中縦桟４２および地板７によって取り囲まれ、この部分の前部に蓋４３が着脱自在に取り付けられている。取り付けにはねじ止めなどの任意の手段が採用される。前述のように、下端部に位置する前板３は、枠体２に対して着脱自在に取り付けられるので、下端部に位置する前板３を枠体２に取り付ける以前には蓋４３が露出し、蓋４３を取り外すことによってコード接続器具４１とともにコード通し孔４０が露出する。
【００４４】
さらに枠体２には、コード接続器具４１が取り付けられた部分と凹部２９との間に位置する横桟９にコード孔４４が形成されている。
【００４５】
このようなテレビ固定用補助壁体１は、以下の通りの手順で施工される。
【００４６】
まず、図８＜ａ＞に示したように、枠体２に前板３を取り付けていない状態で建物の床Ｆから天井Ｃとにわたるように枠体２を床Ｆに立設し、天板６を天井Ｃに、また、地板７を床Ｆに固着具５１などによって固定する。一方、枠体２は、壁Ｗに対しては固定せず、枠体２の背面を壁Ｗに接触または被接触とする。
【００４７】
そして、縦桟８の下方移動範囲内で弾性力が発生するようにコイルバネ２２などの弾性体２１をボルト１９の締め付けによって圧縮し、天板６方向に突っ張るようにする。このときの弾性体２１の圧縮は、弾性力が天板６方向にある程度突っ張るように作用するまでの仮圧縮とし、テレビ固定用補助壁体１が転倒せずに自立することができるような十分大きな弾性力を発生させる本圧縮は後に行う。
【００４８】
次いで、図５に示したように、枠体２の下端部内に建物側から電源線、情報線などのコード４５を下補強板３９に形成したコード通し孔４０を通じて引き込み、コード接続器具４１にコード４５の先端に設けた接続端子を接続する。
【００４９】
この後、図８＜ｂ＞に示したように、枠体２の上端部を除いた前面に前板３を取り付ける。下端部の前板３ａ以外の前板３は、図６に示した取付具３３を用いて前述の通り取り付ける。テレビ取付部２４においては、図４に示したように、枠体２に固定された補強板２５が前板３の背面側で重合する。
【００５０】
次いで、図５に示したように、薄型テレビ４の電源線、情報線などのコード４６を、テレビ取付部２４の前板３と前板３に重合する補強板２５とに形成したコード挿通孔２８から枠体２内に挿入し、横桟９に形成したコード孔４４を通して枠体２の下端部に配線し、コード４６の先端に設けた接続端子をコード接続器具４１に接続する。
【００５１】
この後、蓋４３を取り付ける。このように蓋４３を取り付けるのは、下端部の前板３ａを取り外してもコード接続器具４１がすぐに露出せず、コード接続部分をいたずらされないようにとの配慮からである。
【００５２】
そして、下端部の前板３ａを枠体２の前面下端部に図７に示した係止部材３１および被係止部材３２などを用いて取り付ける。すべてのコード４５、４６は枠体２内に配線され、露出せず、外観が良好となる。
【００５３】
前板３、３ａの取り付け後、図８＜ｂ＞に示したように、補助脚４７を前板３から床Ｆにかけて斜め下方に前側に張り出すように配設し、補助脚４７によりテレビ固定用補助壁体１が前倒れしないように支持する。補助脚４７は、たとえばテレビ固定用補助壁体１の左右両端部に一対として設けることができる。その上端部は、薄型テレビ４の取り付けに際してテレビ固定用補助壁体１が前倒れしないように、テレビ取付部２４に位置させるのが好ましい。補助脚４７は、棒状、角材状などの床Ｆとの間でテレビ固定用補助壁体１をつっかえて支持することができるものであれば、特にその形態は限定されない。
【００５４】
なお、補助脚４７は、テレビ固定用補助壁体１および床Ｆのいずれにも固定されず、一時的にテレビ固定用補助壁体１を支持し、取り外しが可能になっている。
【００５５】
次いで、図８＜ｃ＞に示したように、テレビ取付部２４の前板３に対向させて薄型テレビ４を図４に示した壁掛け金具５により取り付ける。このとき、大型の薄型テレビ４の大きな質量によって床Ｆに沈み込みが発生すると、沈み込みにともなって縦桟８が下方に移動する。しかしながら、テレビ固定用補助壁体１は補助脚４７に支持されており、前倒れが補助脚４７によって抑えられている。弾性体２１は仮圧縮の状態にあるが、縦桟８の下方移動範囲内で弾性力が発生する程度に圧縮されているため、薄型テレビ４を取り付けた状態においても弾性力はある程度天板６方向に突っ張るように作用する。万一弾性体２１が伸びきってしまったとしても、テレビ固定用補助壁体１の前倒れは、上記の通り、補助脚４７によって抑えられており、テレビ固定用補助壁体１が倒れることはなく、建て込みを安全に行うことができる。
【００５６】
この後、図８＜ｄ＞に示したように、ボルト１９を締め付け、押圧片２０を天板６に向けて押し上げ、弾性体２１が天板６の下面に十分圧接するように弾性体２１の本圧縮を行い、天板６方向に突っ張り直す。テレビ固定用補助壁体１が転倒せずに自立することができるような十分大きな弾性力を弾性体２１に発生させる。
【００５７】
弾性体２１の本圧縮後に、床Ｆから天井Ｃに至る長さの化粧側板４８を縦桟８の外側面に固定する。大型の薄型テレビ４の取り付けによって床Ｆに沈み込みが発生し、天板６と縦桟８との間に図３に示したような隙間２３が形成されても、化粧側板４８によって隙間２３を覆い隠すことができ、テレビ固定用補助壁体１の外観が良好となる。
【００５８】
そして、図８＜ｅ＞に示したように、補助脚４７を撤去する。補助脚４７を撤去しても、弾性体２１の本圧縮によって弾性体２１に十分大きな弾性力が発生し、天板６方向に十分に突っ張っているので、テレビ固定用補助壁体１は、薄型テレビ４を取り付けた状態において安定に自立して設置される。地震などによってテレビ固定用補助壁体１が転倒するおそれはない。
【００５９】
最後に、図８＜ｆ＞に示したように、枠体２の上端部の前面に前板３ｂおよび必要に応じて幕板を取り付け、施工を完了する。
【００６０】
なお、本発明のテレビ固定用補助壁体には、ビデオレコーダーなどのＡＶ機器を配設する棚を付設することもできる。この場合、ＡＶ機器の電源線、情報線などのコードも露出させず、枠体２内で配線することができる。
【図面の簡単な説明】
【００６１】
【図１】本発明のテレビ固定用補助壁体における天板と縦桟との連結部の一実施形態    を示した要部分解斜視図である。
【図２】図１に示した実施形態の要部正面図である。
【図３】図１および図２に示した実施形態に基づくテレビ固定用補助壁体の設置状態    を主に枠体について示した正面図である。
【図４】本発明のテレビ固定用補助壁体の一実施形態を示した断面図である。
【図５】図４に示した実施形態の前板を除いた斜視図である。
【図６】図４に示した実施形態の要部断面図である。
【図７】下端部の前板を枠体に取り付けるための形態を示した要部分解斜視図である。
【図８】＜ａ＞〜＜ｆ＞は、本発明のテレビ固定用補助壁体の施工方法の一実施形態を示した工程図である。
【図９】本出願人が先に提案したテレビ固定用補助壁体を示した斜視図である。
【図１０】図９に示したテレビ固定用補助壁体の設置状態を示した断面図である。
【図１１】図９に示したテレビ固定用補助壁体にテレビを取り付けることにともなう床の沈み込みとその時のテレビ固定用補助壁体の状態を主に枠体について示した正面図である。
【図１２】図９に示したテレビ固定用補助壁体における天板と縦桟との接合部を示した要部斜視図である。
【符号の説明】
【００６２】
Ｃ  天井
Ｆ  床
１  テレビ固定用補助壁体
２  枠体
３、３ｂ  前板
４  薄型テレビ
６  天板
７  地板
８  縦桟
１０  Ｌアングル
１１  水平片
１２  垂下片
１３  溝部
１４  蓋材
２１  弾性体
４７  補助脚
４８  化粧側板
【図１】
2008019702.tif 000003
【図２】
2008019702.tif 000004
【図３】
2008019702.tif 000005
【図４】
2008019702.tif 000006
【図５】
2008019702.tif 000007
【図６】
2008019702.tif 000008
【図７】
2008019702.tif 000009
【図８】
2008019702.tif 000010
【図９】
2008019702.tif 000011
【図１０】
2008019702.tif 000012
【図１１】
2008019702.tif 000013
【図１２】
2008019702.tif 000014